(57)【特許請求の範囲】
【請求項１】
容器内に収容物を充填する装置であって、前記容器内の空気を吸引する吸引手段を設け、その吸引手段の内部に収容物を充填する充填手段を配置させると共に、前記容器を密閉する蓋体を、前記充填手段の充填通路内を介して前記容器に供給したことと、前記蓋体は前記充填手段が充填用の貫通孔に密着した状態で搬送され、その貫通孔を密閉することを特徴とする充填装置。
【発明の詳細な説明】
【０００１】
【発明の属する技術分野】
本発明は、容器内に収容物を充填する装置に関する。
【０００２】
【従来の技術】
図８〜図１２に示し説明する。搬送路１０１の上面には、容器１０２が載置されており、その底部１０３には充填用の貫通孔１０４が形成されている。また、その容器１０２の上方には、エアシリンダ１０５によって上下動する押さえ部材１０６が位置している。
一方、前記搬送路１０１の下方には、容器１０２内の空気を吸引する吸引孔１０７と、容器１０２内に気体や液体などの収容物を充填する充填孔１０８が形成されたブロック部材１０９が配置されている（図９参照）。また、ブロック部材１０９の前端面には、ゴム状弾性体からなる密閉部材１１０が配置されており、前記容器１０２の底部１０３に密着し得るようになっている。
前記ブロック部材１０９の側方には、前記容器１０２の貫通孔１０３を塞ぐためのゴム状弾性体からなる栓体１１１がフィーダー１１２に重合配置されている。そのフィーダー１１２の下方には、重合配置されている栓体１１１を１個ごと分離し、所定の位置に搬送する回転搬送体１１３が配置されている。そして、その栓体１１１の搬送先は、前記ブロック部材１０９の貫通孔１１４の直下となっており、該部分は、栓体１１１を貫通孔１０３に押し込むための押し棒１１５が上下動自在に配置されている。
【０００３】
次に動作について説明する。図８に示す状態から、栓体１１１を押し棒１１５によってブロック部材１０９の中間部まで搬送・押し上げる（図１０参照）。次いで、ブロック部材１０９を上昇させ、前記密閉部材１１０を容器１０２の底部１０３に当接・密着させる。ここで、前記吸入孔１０７から吸引を開始し、容器１０２内を真空な状態にする。勿論、充填孔１０８は封鎖している。次いで、吸引孔１０７を封鎖すると共に、充填孔１０８から収容物を容器１０２内に充填する（図１１参照）。充填完了後、充填孔１０８も封鎖すると共に、前記押し棒１１５を更に上昇せしめ、栓体１１１を容器１０２の貫通孔１０３に押し込み封鎖する（図１２参照）。これで充填動作が完了するが、最後に、前記ブロック部材１０９を下降させ、初期状態に戻す（図８参照）。
【０００４】
【発明が解決しようとする課題】
しかし、上記の従来技術にあっては、容器１０２に収容物を充填した後に、ブロック部材１０９を下降させると、前記吸引孔１０７に回り込んだ収容物や充填孔１０８内に在する収容物を大気に解放してしまうことになり、無駄が発生してしまっていた。また、引火性の高い収容物である場合には、前記のように収容物が大気解放するため危険であった。
【０００５】
【課題を解決するための手段】
本発明は、容器内に収容物を充填する装置であって、前記容器内の空気を吸引する吸引手段を設け、その吸引手段の内部に収容物を充填する充填手段を配置させると共に、前記容器を密閉する蓋体を、前記充填手段の充填通路内を介して前記容器に供給したことと、前記蓋体は前記充填手段が充填用の貫通孔に密着した状態で搬送され、その貫通孔を密閉することを要旨としている。
【０００６】
【作用】
充填通路内に在する収容物が完全に容器内に充填されると共に、吸引通路には収容物が回り込まない。
【０００７】
【実施例】
１例を図１〜図７に示し説明する。搬送路１の上面には、容器２が載置されており、その底部３には充填用の貫通孔４が形成されている。この容器は、具体的には、スプレーなどの缶である。また、その容器１の上方には、エアシリンダ５によって上下動する押さえ部材６が位置している。
一方、前記搬送路１の下方には、容器２内の空気を吸引する吸引手段７と、容器２内に気体や液体などの収容物を充填する充填手段８が配置されている。以下具体的に説明する。前記吸引手段７には、貫通孔９が形成されており、その貫通孔９には、吸引装置から連結されるパイプ１０が接続されている。また、吸引手段７の前端面には、ゴム状弾性体からなるＯリング１１が配置されており、前記容器２の底部３に密着し得るようになっている。
前記充填手段８は、前方に細径部１２を有しており、その細径部１２が前記吸引手段７の貫通孔９に前後動可能に位置している。尚、細径部１２の外面と貫通孔９の内面との間には、Ｏリング１３が介在しており、液密状態で前後動可能となっている。また、細径部１２の先端にもＯリング１４が配置されており、前記容器２の底部３に密着し得るようになっている。
さらに、充填手段８の内方には、収容物が通過し、また、後述する栓体が通過する貫通孔１５が形成されている。充填手段８の下方には、鍔部１６が形成されており、その鍔部１６と前記吸引手段７との間には、コイルスプリングなどからなる弾撥部材１７が張設されている。即ち、常時は、この弾撥部材１７の付勢力によって吸引手段７と充填手段は離隔しているのである。
【０００８】
前記鍔部１６の下方には、ブロック部材１８が固定されており、そのブロック部材１８の内側には、貫通孔１９が形成されており、その貫通孔１９にはピストン部材２０が上下動可能に配置されている。このピストン部材２０の前端部にもＯリング２１が配置されており、前記鍔部１６の内壁面と当接し得るようになっている。尚、このピストン部材２０の内側にも貫通孔２２が形成されており、前記細径部１２に形成されている貫通孔１５と連通し得るようになっている。また、ピストン部材２０の中間部には、鍔部２３が形成されており、この鍔部２３を境に両側に配置されたバルブ２４、２５によって、ピストン部材２０が上下動し得るようになっている。符号１８ａは、ブロック部材１８の貫通孔１９に連通した収容物を充填するための連結孔である。
前記吸引手段７と充填手段８の側方には、前記容器２の貫通孔４を塞ぐためのゴム状弾性体からなる栓体２６がフィーダー２７に重合配置されている。そのフィーダー２７の下方には、重合配置されている栓体２６を１個ごと分離し、所定の位置に搬送する回転搬送体２８が配置されている。そして、その栓体２６の搬送先は、前記ピストン部材２０の貫通孔２２の直下となっており、該部分は、栓体２６を貫通孔４に押し込むための押し棒２９が上下動自在に配置されている。
【０００９】
次に、動作について説明する。図１（図２）の状態は、初期状態であり、この状態から、回転搬送体２８を回転させ、栓体２６を貫通孔２２の直下に位置させると共に、押し棒２９で貫通孔２２の沿って押し上げ、ピストン部材２０の上端近傍に位置させる（図３参照）。次いで、図示せずのエアシリンダによって吸引手段７と充填手段８を押し上げ、吸引手段７の前端に配置されているＯリング１１を容器２の底部３に強く押し付ける。この状態で、前記パイプ１０からの吸引を開始し、容器内の空気を取り除き真空状態にする。この時、容器２内の空気は、貫通孔９を通ってパイプ１０から吸引される（図４参照）。次いで、前記吸引手段７と充填手段８を更に上昇させるが、吸引手段７は弾撥部材１７を圧縮し、実質的には上昇せず、充填手段８のみが上昇する。この動作で、充填手段８の細径部１２のＯリング１４が容器２の底部３に密着する。ここで、前記バルブ２４に空気を送り込むと共に、バルブ２５を解放する。つまり、ピストン部材２０を下降させるのである。この動作によって、ピストン部材２０の前端に配置されているＯリング２１の鍔部１６内面に対する密着が解除され、充填用の連結孔１８ａと細径部１２の貫通孔１５が連通する。この状態で、収容物を連結孔１８ａから送り込むと、その収容物は、貫通孔１５を介して真空状態の容器２内へと充填される（図５参照）。
次いで、バルブ２５から空気を送り込むと共に、バルブ２４を解放する。つまり、再びピストン部材２０のＯリング２１を鍔部１６の内壁面に当接・密着させるのである（図６参照）。ここで、再び、押し棒２９を上昇させ、栓体２６を容器２の貫通孔４に押し込み、封鎖する（図７参照）。これで、１サイクルが完了する。
【００１０】
【発明の効果】
本発明は、容器内に収容物を充填する装置であって、前記容器内の空気を吸引する吸引手段を設け、その吸引手段の内部に収容物を充填する充填手段を配置させると共に、前記容器を密閉する蓋体を、前記充填手段の充填通路内を介して前記容器に供給したことと、前記蓋体は前記充填手段が充填用の貫通孔に密着した状態で搬送され、その貫通孔を密閉するので、収容物を大気に解放させること無く、順次収容物を容器内に充填することができる。
【図面の簡単な説明】
【図１】  本発明の１例を示す側面図（一部断面図）。
【図２】  図１の要部拡大図。
【図３】  動作を示す図。
【図４】  動作を示す図。
【図５】  動作を示す図。
【図６】  動作を示す図。
【図７】  動作を示す図。
【図８】  従来技術を示す側面図（一部断面図）。
【図９】  ブロック部材を示す拡大断面図。
【図１０】  従来の動作を示す図。
【図１１】  従来の動作を示す図。
【図１２】  従来の動作を示す図。
【符号の説明】
１        搬送路
２        容器
３        底部
４        貫通孔
５        エアシリンダ
６        押さえ部材
７        吸引手段
８        充填手段
９        貫通孔
１０      パイプ
１１      Ｏリング
１２      細径部
１３      Ｏリング
１４      Ｏリング
１５      貫通孔
１６      鍔部
１７      弾撥部材
１８      ブロック部材
１９      貫通孔
２０      ピストン部材
２１      Ｏリング
２２      貫通孔
２３      鍔部
２４      バルブ
２５      バルブ
２６      栓体
２７      フィーダー
２８      回転搬送体
２９      押し棒
【図１】
0004622183.tif 000002
【図２】
0004622183.tif 000003
【図３】
0004622183.tif 000004
【図４】
0004622183.tif 000005
【図５】
0004622183.tif 000006
【図６】
0004622183.tif 000007
【図７】
0004622183.tif 000008
【図８】
0004622183.tif 000009
【図９】
0004622183.tif 000010
【図１０】
0004622183.tif 000011
【図１１】
0004622183.tif 000012
【図１２】
0004622183.tif 000013